(57)【要約】【課題】  天地返しまでの一連の耕運作業を省力化する工夫が足らず、耕運作業を容易に行うことができないという課題があった。【解決手段】  ４本の爪１１〜１４を並べて支持するホーク１０と、ホーク１０を一端に連結した柄２０とを備えた手動耕運器１において、左右の方向に中心軸Ｘを有し、柄２０の他端に対してＴ字状に取付けられた柱状部材の取っ手５０と、ホーク１０の裏面側に突設されるとともに、この裏面側へ突き出た２個の突起３２ＲＴ，３２ＬＴを左右に配したペダル３０とを備える。【選択図】        図１
2015171349.tif 000002
【特許請求の範囲】
【請求項１】
３本以上の爪を並べて支持するホーク手段と、このホーク手段を一端に備えた柄手段とを有する手動耕運器において、
左右の方向に中心軸を有し、上記柄手段の他端に対してＴ字状に取付けられた柱状部材の取っ手手段と、
上記ホーク手段の裏面側に突設されるとともに、この裏面側へ突き出た２個の突起を左右に並べたペダル手段とを備えることを特徴とする手動耕運器。
【請求項２】
３本以上の爪を並べて支持するホーク手段と、このホーク手段を一端に備えた柄手段とを有する手動耕運器において、
上記ホーク手段の爪の表面側に切断手段を少なくとも１個備えることを特徴とする手動耕運器。
【請求項３】
３本以上の爪を並べて支持するホーク手段と、このホーク手段を一端に備えた柄手段とを有する手動耕運器において、
左右の方向に中心軸を有し、上記柄手段の他端に対してＴ字状に取付けられた柱状部材の取っ手手段と、
上記ホーク手段の裏面側に突設されるペダル手段とを備え、
上記取っ手手段は、中心軸周りに回転するように、柄手段の他端に取付けられ、
上記柄手段は、上記ペダル手段が設けられた位置の上部近傍から、上記ホーク手段が時計盤の６時３０分から７時３０分までの間にあるように湾曲していることを特徴とする手動耕運器。
【請求項４】
３本以上の爪を並べて支持するホーク手段と、このホーク手段を一端に備えた柄手段とを有する手動耕運器において、
左右の方向に中心軸を有し、上記柄手段の他端に対してＴ字状に取付けられた柱状部材の取っ手手段と、
上記ホーク手段の裏面側に突設されるペダル手段とを備え、
上記ホーク手段の幅の両端と、上記ペダル手段の踏み幅の中心とを結んでできる３角形がほぼ正３角形であることを特徴とする手動耕運器。
【発明の詳細な説明】
【技術分野】
【０００１】
この発明は、使用者が耕地を後進しながら土の掘り起し・天地返し（※１）を行うための手動耕運器に関するものである。
【０００２】
（※１）「天地返し」……てんちがえし。耕地から掘り起こした土を右側又は左側へ切り返し、その上下を反転させること。
【背景技術】
【０００３】
作物の根を土中に張り巡らすためには、耕地の深いところまで土を柔らかくしておくことが最も大切な条件である。土が硬くなったままだと、水や肥料を与えても土の表面を流れてしまって土中深くまで浸透せず、作物が大きく育たない。また、通気性も悪くなり、酸素不足で根が窒息し根腐れを起こしてしまうこともある。
【０００４】
このような問題を解決するために、今さら言うまでもないが、牛馬などの畜力を利用した犂（すき、プラウ）が従来よりある。古代エジプトの壁画にも、畜耕式の犂を使う様子を描いたものが見つかっている。梃子の原理により耕地を深くも浅くも掘れ、また、犂の反りにより下部の土を掘り起こし、天地返しする。畜力に頼っていることからもわかるように、とても労力を必要とする作業である。
【０００５】
こういった作業は、何も寒い季節に限ったことではないが、昔から「寒起こし」「田起こし」などとも呼ばれている。農作業者自身が鋤（すき）などの耕運用の農具を使って耕地を掘り起こし、天地返しすることにより、天地返しされた土が寒さで凍みるようになってそれが溶ける際にぼろぼろと細かく砕け、柔らかくなっていく。
【０００６】
このようにすることで、透水性・保水性・通気性を確保することができ、耕運前に耕地に撒いた石灰・堆肥・元肥などもよく混ざる上に、土中に潜んでいた害虫や病原菌が寒さに晒されて死滅し、作業性も改善される。耕運の効果を十分に引き出すためには、単に土を掘り起こすだけではなく、天地返しまでしっかり行うことがとても重要である。
【０００７】
耕運用の農具として本願出願人が調査した範囲では、例えば下記に列記した先行技術文献が見つかった。詳細については各文献を参照されたい。
【先行技術文献】
【特許文献】
【０００８】
【特許文献１】特表２０１１−５２１６５９公報
【０００９】
【特許文献２】特開２０１２−１６５６９８公報
【００１０】
【特許文献３】特開平７−７３０９０号公報
【００１１】
【非特許文献１】山崎製作所、"深耕機鍬（てこ鍬）"、［online］、掲載年月日の表示なし、楽天市場（登録商標）、［平成２６年２月２４日検索］、インターネット〈URL:http://item.rakuten.co.jp/uehara/0412/〉
【発明の概要】
【発明が解決しようとする課題】
【００１２】
従来の耕運用の農具は以上のように構成されているので、天地返しまでの一連の耕運作業を省力化する工夫が足らず、耕運作業を容易に行うことができないという課題があった。
【００１３】
例えば、特許文献１では、土中に残ったタンポポの根を切り裂いて除去することに主眼を置いているだけで、耕運作業を省力化する工夫は全くなされていない。したがって、この特許文献１の鋤を使って耕運作業を行うと、大変な重労働になってしまう。
【００１４】
また、特許文献２では、足踏み及び梃子の支点を兼用する手段を設け、突き刺し及び掘り起しを容易に行う工夫はなされているものの、天地返しについては何も考慮していない。このため、天地返しに大きな労力が必要になってしまうか、天地返しを省いて不完全な耕運作業になってしまう。加えて、柄やハンドルにも特に工夫がなされておらず、掘り起こした土を砕き土中に残った植物の根などを切り裂く手段もない。
【００１５】
非特許文献１も同様で、天地返しについて特に考慮していない。柄も単なる棒状のものであり、土を砕き根を切り裂く手段もない。
【００１６】
さらに、特許文献３では、土切り歯を設けたショベルが開示されているが、これは土切り歯の間に土が詰まってしまい、詰まった土を取り除くのが大変で耕運作業の効率が悪くなってしまう。
【００１７】
この発明は上記の課題を解決するためになされたもので、従来と比較して、天地返しまでの一連の耕運作業を省力化する工夫を随所に施し、耕運作業を容易に行うことが可能な手動耕運器を提供することを目的とする。
【課題を解決するための手段】
【００１８】
この発明に係る手動耕運器は、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるとともに、この裏面側へ突き出た２個の突起を左右に並べたペダル手段とを備えるようにしたものである。
【００１９】
この発明に係る手動耕運器は、柄手段は、湾曲したものを使用するようにしたものである。
【００２０】
この発明に係る手動耕運器は、柄手段は、ホーク手段の爪が耕地に突き刺さる際に、ホーク手段が時計盤の６時３０分から７時３０分までの間にあるように湾曲させるようにしたものである。
【００２１】
この発明に係る手動耕運器は、ペダル手段は、ホーク手段の裏面側に一端が繋がれた主軸と、この主軸の他端から分岐した２本の分岐軸とからなるようにしたものである。
【００２２】
この発明に係る手動耕運器は、ペダル手段は、２本の分岐軸の間に設けられ、これら２本の分岐軸をそれぞれ連結する２本の連結部材を備えるようにしたものである。
【００２３】
この発明に係る手動耕運器は、ペダル手段は、２本の連結部材のうちの使用者側に連結された連結部材の長手方向の中心からホーク手段の幅の両端までの各長さが、ホーク手段の幅とほぼ同じ長さにそれぞれ設定されるようにしたものである。
【００２４】
この発明に係る手動耕運器は、３本以上の爪を並べて支持するホーク手段と、このホーク手段を一端に備えた柄手段とを有する手動耕運器において、ホーク手段の爪の表面側に切断手段を少なくとも１個備えるようにしたものである。
【００２５】
この発明に係る手動耕運器は、ホーク手段の爪の表面側に切断手段を少なくとも１個備えるようにしたものである。
【００２６】
この発明に係る手動耕運器は、切断手段は、鮫の鰭に似せた形状の刃であるようにしたものである。
【００２７】
この発明に係る手動耕運器は、切断手段は、多角形状の刃であるようにしたものである。
【００２８】
この発明に係る手動耕運器は、切断手段は、鋸歯状の刃であるようにしたものである。
【００２９】
この発明に係る手動耕運器は、鮫の鰭に似せた形状の刃は、先に土中に入る刃の部分がギザギザに形成されるようにしたものである。
【００３０】
この発明に係る手動耕運器は、複数の切断手段のうちの少なくとも１個は、残りの切断手段とは別の爪に、残りの切断手段に対してズラして設けられるようにしたものである。
【００３１】
この発明に係る手動耕運器は、切断手段は、ホーク手段の爪のうちの最外の爪以外に設けられるようにしたものである。
【００３２】
この発明に係る手動耕運器は、複数の切断手段は、ホーク手段の爪のうちの最外の爪以外にそれぞれ設けられ、そのうちの最右／最左の爪に設けられた切断手段は、他の切断手段よりもホーク手段の先端に設けられるようにしたものである。
【００３３】
この発明に係る手動耕運器は、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるペダル手段とを備え、取っ手手段は、中心軸周りに回転するように、柄手段の他端に取付けられ、柄手段は、ペダル手段が設けられた位置の上部近傍から、ホーク手段が時計盤の６時３０分から７時３０分までの間にあるように湾曲しているようにしたものである。
【００３４】
この発明に係る手動耕運器は、取っ手手段は、中心軸周りに回転するように、柄手段の他端に取付けられ、柄手段は、ペダル手段が設けられた位置の上部近傍から、ホーク手段が時計盤の６時３０分から７時３０分までの間にあるように湾曲しているようにしたものである。
【００３５】
この発明に係る手動耕運器は、柄手段は、２つの穴を所定の間隔で側面にそれぞれ形成した筒状部を他端に備え、取っ手手段は、所定の間隔に合わせて側面にそれぞれ形成された２つの溝を備えるとともに、筒状部に中心軸を共有して挿入されて、２つの溝に対し、２つの穴に通した２つの突起部材をそれぞれ嵌めるようにしたものである。
【００３６】
この発明に係る手動耕運器は、取っ手手段は、木製又は樹脂製のものを使用するようにしたものである。
【００３７】
この発明に係る手動耕運器は、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるペダル手段とを備え、ホーク手段の幅の両端と、ペダル手段の踏み幅の中心とを結んでできる３角形がほぼ正３角形であるようにしたものである。
【発明の効果】
【００３８】
以上のように、この発明によれば、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるとともに、この裏面側へ突き出た２個の突起を左右に並べたペダル手段とを備えるようにしたので、ホーク手段の突き刺しの際にはペダル手段が足踏み機構として、ホーク手段による掘り起し及び天地返しの際には突起が土中に突き刺さって梃子の支点としてそれぞれ機能するようになり、天地返しまでの一連の耕運作業を容易に行うことができる。また、突起が耕地に突き刺さるので、支点の位置がズレたりすることがなくなり、掘り起し及び天地返しを安定して行うことができる。
【００３９】
この発明によれば、柄手段は、湾曲したものを使用するようにしたので、掘り起しをいっそう容易に行うことができる。また、身長の高い人にとっても負担が少ない。
【００４０】
この発明によれば、柄手段は、ホーク手段の爪が耕地に突き刺さる際に、ホーク手段が時計盤の６時３０分から７時３０分までの間にあるように湾曲させるようにしたので、ホーク手段の爪を最も容易に土中に突き刺すことができる。
【００４１】
この発明によれば、ペダル手段は、ホーク手段の裏面側に一端が繋がれた主軸と、この主軸の他端から分岐した２本の分岐軸とからなるようにしたので、シンプルな構成でペダル手段を実現できるようになり、手動耕運器の製造が容易になる。
【００４２】
この発明によれば、ペダル手段は、２本の分岐軸の間に設けられ、これら２本の分岐軸をそれぞれ連結する２本の連結部材を備えるようにしたので、入手容易な連結部材により足踏み機構を容易に製造することができ、連結部材によって使用者の靴底に付着した土を容易に落とすことができる。
【００４３】
この発明によれば、ペダル手段は、２本の連結部材のうちの使用者側に連結された連結部材の長手方向の中心からホーク手段の幅の両端までの各長さが、ホーク手段の幅とほぼ同じ長さにそれぞれ設定されるようにしたので、材料費が嵩むことなく、余分な労力も要さずに、天地返しの際にホーク手段を右／左方向に４５度から５０度ぐらいまで傾けてもホーク手段の幅の端が耕地に当たらなくなり、天地返しを確実に行うことができる。
【００４４】
この発明によれば、３本以上の爪を並べて支持するホーク手段と、このホーク手段を一端に備えた柄手段とを有する手動耕運器において、ホーク手段の爪の表面側に切断手段を少なくとも１個備えるようにしたので、ホーク手段の爪とともに切断手段が耕地に突き刺さって掘り起こした土を細かく砕くようになり、加えて、土中に残った植物の根なども切り裂かれるようになって、根が張って砕けにくくなった土であっても細かく砕くことができる。
【００４５】
この発明によれば、ホーク手段の爪の表面側に切断手段を少なくとも１個備えるようにしたので、ホーク手段の爪とともに切断手段が耕地に突き刺さって掘り起こした土を細かく砕くようになり、加えて、土中に残った植物の根なども切り裂かれるようになって、根が張って砕けにくくなった土であっても細かく砕くことができる。
【００４６】
この発明によれば、切断手段は、鮫の鰭に似せた形状の刃であるようにしたので、土が砕きやすくなるとともに、土中に残った植物の根などを容易に切り裂けるようになる。
【００４７】
この発明によれば、切断手段は、多角形状の刃であるようにしたので、土が砕きやすくなるとともに、土中に残った植物の根などを容易に切り裂けるようになる。
【００４８】
この発明によれば、切断手段は、鋸歯状の刃であるようにしたので、土が砕きやすくなるとともに、土中に残った植物の根などを容易に切り裂けるようになる。
【００４９】
この発明によれば、鮫の鰭に似せた形状の刃は、先に土中に入る刃の部分がギザギザに形成されるようにしたので、土中に残った植物の根などをいっそう容易に切り裂けるようになる。
【００５０】
この発明によれば、複数の切断手段のうちの少なくとも１個は、残りの切断手段とは別の爪に、残りの切断手段に対してズラして設けられるようにしたので、切断手段の間に土が挟まったり、粘土状の土が詰まってしまうようなことがなくなり、耕運作業の効率が劣化するのを未然に防ぐことができる。
【００５１】
この発明によれば、切断手段は、ホーク手段の爪のうちの最外の爪以外に設けられるようにしたので、土が細かく砕かれるようになり、加えて、土中に残った植物の根なども切り裂かれるようになって、根が張って砕けにくくなった土であっても細かく砕くことができる。
【００５２】
この発明によれば、複数の切断手段は、ホーク手段の爪のうちの最外の爪以外にそれぞれ設けられ、そのうちの最左／最右の爪に設けられた切断手段は、他の切断手段よりもホーク手段の先端に設けられるようにしたので、右利き／左利きの者が天地返しを行う際に土に対して切断手段が引っ掛かりとして作用するようになり、耕運作業の効果を向上させることができる。
【００５３】
この発明によれば、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるペダル手段とを備え、取っ手手段は、中心軸周りに回転するように、柄手段の他端に取付けられ、柄手段は、ペダル手段が設けられた位置の上部近傍から、ホーク手段が時計盤の６時３０分から７時３０分までの間にあるように湾曲しているようにしたので、使用者は取っ手手段に対する握力を変えることなく掘り起しできるようになり、手に対する負担が軽減され、マメができたり皮が剥けたりしにくくなり、また、絶えず同じ力で、かつ同じ角度でホーク手段を耕地に突き刺せるようになり、耕運作業の一定性を確保できるようになり、疲労が少なくなる。
【００５４】
この発明によれば、取っ手手段は、中心軸周りに回転するように、柄手段の他端に取付けられ、柄手段は、ペダル手段が設けられた位置の上部近傍から、ホーク手段が時計盤の６時３０分から７時３０分までの間にあるように湾曲しているようにしたので、使用者は取っ手手段に対する握力を変えることなく掘り起しできるようになり、手に対する負担が軽減され、マメができたり皮が剥けたりしにくくなり、また、絶えず同じ力で、かつ同じ角度でホーク手段を耕地に突き刺せるようになり、耕運作業の一定性を確保できるようになり、疲労が少なくなる。
【００５５】
この発明によれば、柄手段は、２つの穴を所定の間隔で側面にそれぞれ形成した筒状部を他端に備え、取っ手手段は、所定の間隔に合わせて側面にそれぞれ形成された２つの溝を備えるとともに、筒状部に中心軸を共有して挿入されて、２つの溝に対し、２つの穴に通した２つの突起部材をそれぞれ嵌めるようにしたので、シンプルな構成で中心軸周りに回転する取っ手手段を実現できる。
【００５６】
この発明によれば、取っ手手段は、木製又は樹脂製のものを使用するようにしたので、使用者の手になじみやすくなり、加えて、手動耕運器の軽量化を図ることができる。
【００５７】
この発明によれば、３本以上の爪を並べて支持するホーク手段と、このホーク手段を一端に備えた柄手段とを有する手動耕運器において、左右の方向に中心軸を有し、柄手段の他端に対してＴ字状に取付けられた柱状部材の取っ手手段と、ホーク手段の裏面側に突設されるペダル手段とを備え、ホーク手段の幅の両端と、ペダル手段の踏み幅の中心とを結んでできる３角形がほぼ正３角形であるようにしたので、材料費が嵩むことなく、余分な労力も要さずに、天地返しの際にホーク手段を右／左方向に４５度から５０度ぐらいまで傾けてもホーク手段の幅の端が耕地に当たらなくなり、天地返しを確実に行うことができる。
【図面の簡単な説明】
【００５８】
【図１】この発明の実施の形態１による手動耕運器の構成を示す斜視図である。
【図２】ホーク、ペダル及びカッターの構成を示す図である。
【図３】ペダルの製造方法を説明するための図である。
【図４】柄とハンドルとの取付け方法を説明するための図である。
【図５】手動耕運器の使用方法を説明するための図である。
【図６】手動耕運器の使用方法を説明するための図である。
【図７】手動耕運器の使用方法を説明するための図である。
【図８】手動耕運器の使用方法を説明するための図である。
【図９】手動耕運器の使用方法を説明するための図である。
【図１０】手動耕運器の使用方法を説明するための図である。
【図１１】図１〜１０で説明した手動耕運器の鮫ヒレの配置を示す図である。
【図１２】４本爪のホークに鮫ヒレを２個設ける場合の配置パターンを示す斜視図である。
【図１３】４本爪のホークに鮫ヒレを１個設ける場合の配置パターンを示す斜視図である。
【発明を実施するための形態】
【００５９】
以下、この発明の実施の形態について、図面を参照しつつ詳細に説明する。なお、各図面において、同一の又は相当する構成要素については同一の又は相当する符号を付してある。
【００６０】
実施の形態１．
＜全体構成＞
図１はこの発明の実施の形態１による手動耕運器の構成を示す図であり、使用者の側から見た場合の手動耕運器を斜視図により表している。
【００６１】
図１において、１はこの実施の形態１による手動耕運器、１０は３本以上の爪を並べて支持するホーク（ホーク手段）、２０はホーク１０を一端に連結した柄（柄手段）、３０はホーク１０の裏面側（※２）に突設されたペダル（ペダル手段）、４０は鮫の鰭（ひれ）に似せた形状の２枚の刃の鮫ヒレ４２，４３からなるカッター（切断手段）、５０は柄２０の他端に対し長手方向の中心軸Ｘを左右に向けてＴ字状に取付けた柱状部材のハンドル（取っ手手段）である。
【００６２】
（※２）「裏面側」……ここでは、ホーク１０の土を掘り起こす側を「表面側」と記載し、その裏側を「裏面側」と記載することにする。
【００６３】
＜ホーク・ペダル・カッター＞
図２はホーク１０，ペダル３０及びカッター４０の構成を示す図である。
図２のホーク１０において、１１〜１４は４本の爪、１０Ｓは爪１１〜１４をホーク状に並べて支持する支持部、１６は溶接などにより柄２０の一端に固着される連結部である。爪１１〜１４のうち、最外の爪１１，１４以外の爪１２，１３の表面側には、鮫ヒレ４２，４３がズラして（並列にならないように。横から見て完全に重なることのないように。）設けられている。
【００６４】
また、図２のペダル３０において、３１は主軸、３１Ｔは溶接などにより連結部１６の裏面側に固着される固着部、３２Ｌ，３２Ｒは主軸３１の他端から左右２本に分岐した分岐軸、３３，３４は分岐軸３２Ｌ，３２Ｒの間に設けられて分岐軸３２Ｌ，３２Ｒをそれぞれ連結する２本のネジ棒（連結部材）である。
【００６５】
＜ペダルの製造＞
図３はペダル３０の製造方法を説明するための図である。
まず、図３（ａ）の斜視図に示すような、Ｓ字に似た形状に折り曲げた金属棒３０Ｍを２本用意し、図３（ｂ）の上面図のように、これらの金属棒３０Ｍを線対称に並べ、Ｙ字に似た形状に配置する。
【００６６】
次に、図３（ｃ）の上面図に示した通り、２本の金属棒３０Ｍの近接箇所を溶接などにより固着して一体化する。この一体化した箇所は主軸３１となり、他方、Ｙ字の二股に開いた箇所は分岐軸３２Ｌ，３２Ｒとなる。このように、シンプルな構成でペダル３０を実現できるようになり、手動耕運器の製造が容易になる。
【００６７】
また、分岐軸３２Ｌ，３２Ｒの間にはネジ棒３３，３４を設け、これらネジ棒３３，３４により分岐軸３２Ｌ，３２Ｒがそれぞれ連結される。ネジ棒３３，３４は、ホーク１０を耕地に突き刺す際の足踏み機構となるもので、市販品で足りるため入手が容易であって、足踏み機構を容易に製造することができる。ネジ棒３３，３４は、足を乗せる分の長さがあれば十分である。なお、連結部材には、ネジ棒３３，３４の代わりに縞筋（縞鋼）や異形棒鋼（又は異形鉄筋）を用いても良いし、その形状は円柱状に限らず例えば多角柱状であっても良い。
【００６８】
最後に、図３（ｄ）の側面図に示したように、主軸３１の先端と分岐軸３２Ｌ，３２Ｒの各先端とをそれぞれ折り曲げる。主軸３１の先端はおおよそ９０度ほど折り曲げられ、図２でも説明した通り、ペダル３０の固着部３１Ｔとして連結部１６の裏面側に固着される。一方、分岐軸３２Ｌ，３２Ｒの各先端は、固着部３１Ｔとは逆の向きに角度αだけ折り曲げられて突起３２ＬＴ，３２ＲＴとなる。この折り曲げ角度αについては、使用方法のところで後述する。
【００６９】
＜ハンドルの取付け＞
図４は柄２０とハンドル５０との取付け方法を説明するための図である。
図４の柄２０において、２０Ｐは柄２０の他端に設けられた金属製のパイプ（筒状部）、２０Ｌ，２０Ｒはパイプ２０Ｐの側面に数ｃｍ間隔で形成された２つの穴である。なお、図示は省略しているが、柄２０の他端には、鮫ヒレ４２，４３を備えたホーク１０が固着されており、全体を高温で塗装してある。
【００７０】
また、図４のハンドル５０において、５０Ｌ，５０Ｒは２つの溝であり、穴２０Ｌ，２０Ｒの間隔に合わせてハンドル５０の側面にそれぞれ形成されている。ハンドル５０は木製の円柱状部材であり、パイプ２０Ｐなどの金属部分とは塗装方法が異なるため、これら金属部分とは別に全体を塗装してある。
【００７１】
柄２０とハンドル５０との取付け方法について説明する。
図４（ａ）の斜視図に示すように、まず、筒状のパイプ２０Ｐにハンドル５０を中心軸Ｘを共有して挿入し、穴２０Ｌ，２０Ｒと溝５０Ｌ，５０Ｒとを位置合わせする。次に、穴２０Ｌ，２０Ｒに対し２つのブラインドリベット２０Ｂ，２０Ｂをそれぞれ差し込み、リベッターなどの不図示の接合工具を用いてブラインドリベット２０Ｂ，２０Ｂをそれぞれかしめる。
【００７２】
これにより、図４（ｂ）の断面図に示すように、ブラインドリベット２０Ｂ，２０Ｂの先端部分２０Ｂ’，２０Ｂ’がそれぞれパイプ２０Ｐの内側で変形し、溝５０Ｌ，５０Ｒの中で膨れる。つまり、ハンドル５０がパイプ２０Ｐから抜けなくなり、かつ、中心軸Ｘ周りに回転するようになるので、シンプルな構成で中心軸Ｘ周りに回転するハンドル５０を実現できる。金属部分とは別に塗装する必要のある木製のハンドル５０を取付けるには、このブラインドリベット２０Ｂ，２０Ｂを用いた取付け方法がベストである。なお、ハンドル５０は、木製の他に樹脂製なども考えられる。
【００７３】
＜使用方法＞
次に使用方法について説明する。
図５〜１０は手動耕運器１の使用方法を説明するための図である。図５，６は側面図、図７，８は正面図、図９，１０は背面図（使用者側から見た図）である。
【００７４】
（イ）突き刺し
まず、図５に示すように、手動耕運器１の使用者Ｕはハンドル５０を手で握り、ホーク１０を耕地Ｇに突き立ててペダル３０のネジ棒３３，３４を足で踏み体重をかける。すると、ホーク１０の爪１１〜１４とともに、鮫ヒレ４２が先に、鮫ヒレ４３が後から耕地Ｇにそれぞれ突き刺さっていく。
【００７５】
ペダル３０を設け、手と比べてはるかに強い足の力（体重）を利用しているので、耕地Ｇにホーク１０を容易に突き刺すことができる。
【００７６】
また、ネジ棒３３，３４を足踏み機構としているので、足の滑り止めにもなり、ネジ棒３３，３４に形成されたネジ山によって、使用者Ｕの靴底に付着した土を容易に落とすこともできる。
【００７７】
さらに、図５に示したように、柄２０として湾曲させたものを使用しているのは以下のような理由である。
【００７８】
すなわち、ホーク１０の爪１１〜１４を耕地Ｇに突き刺すには、耕地Ｇに対する爪１１〜１４の角度が小さい程よく入るが、この角度が小さいと土をあまり持ち上げられず作業効率が悪くなり、また、爪１１〜１４の耕地Ｇに対する角度が９０度に近い程、踏み込むのに労力を要する。
【００７９】
そこを考えると、ホーク１０の爪１１〜１４が、耕地Ｇに対して、図５のようにホーク１０を耕地Ｇに突き刺す様子を使用者Ｕの左側面から見た場合に、ホーク１０が時計盤のおおよそ７時の方向を向く（柄２０上部の方向（補助線ｋの方向）を時計盤の１２時の方向とみなしたときに、ホーク１０の方向（補助線ｎの方向）が６時３０分から７時３０分までの間にある）ようになるときが最も容易に土中に突き刺さる。手動耕運器１では、この条件を満たすように柄２０を、ペダル１０が設けられた位置の上部近傍から湾曲させて「へ」の字状にしている。
【００８０】
身長の高い低いに関わらず使用者Ｕにとってはハンドル５０が力点になるが、柄２０が湾曲していることにより、わずかではあるが力点が上部に位置するため、身長の高い人にとっても負担が少ない。
【００８１】
また、手動耕運器１ではハンドル５０が中心軸Ｘ周りに回転する。ハンドル５０が回転しないと耕運作業の度にホーク１０を耕地Ｇに突き刺す際の上記の角度が違ってしまうのに対し、ハンドル５０を回転するようにすることで、ハンドル５０を手で持ってホーク１０の先端を耕地Ｇから浮かせると、手動耕運器１に重力が働いてハンドル５０の回転軸Ｘを中心にホーク１０が必ず上記のおおよそ７時の方向を向くようになり、絶えず同じ力で、かつ同じ角度でホーク１０を耕地Ｇに突き刺せるようになり、耕運作業の一定性を確保できるようになり、疲労が少なくなる。
【００８２】
なお、Ｔ字状のハンドル自体は昔からあるもので、特に新しい考えではない。例えば、多数の突起が放射状に設けられた円筒をＴ字状のハンドルで押しながら田圃の稲と稲の間を転がしていき、雑草を根から引き抜く回転式の田草取り器などでも見受けられる。
【００８３】
（ロ）掘り起し
使用方法の説明に戻る。
耕地Ｇにホーク１０を深く突き刺すと、続いて使用者Ｕは、図６，７のブロック矢印に示すように、ハンドル５０を手で下方に押さえる。このとき、ハンドル５０が中心軸Ｘ周りに回転するように構成されているので、使用者Ｕは、ハンドル５０に対する握力を変えることなく、手首の返しなしに握ったままＲ方向へ回転させるだけでハンドル５０を下方へ押さえることができる。手に対する負担が軽減され、マメができたり皮が剥けたりしにくくなる。
【００８４】
ハンドル５０を下方に押さえていくと、ペダル３０の突起３２ＬＴ，３２ＲＴが耕地Ｇに突き刺さる。突き刺さった突起３２ＬＴ，３２ＲＴは梃子の支点として働き、使用者Ｕがハンドル５０をさらに下方に押さえることでホーク１０が持ち上がり、その表面側で土Ｓを掘り起こす。
【００８５】
このように、突起３２ＬＴ，３２ＲＴを支点とした梃子によって土Ｓを掘り起こしているので、掘り起しを容易に行うことができる。
【００８６】
また、突起３２ＬＴ，３２ＲＴが耕地Ｇに突き刺さるので、支点の位置がズレたりすることがなくなり、掘り起しを安定して行うことができる。
【００８７】
さらに、図６にも示したように、柄２０として湾曲させたものを使用しているので、掘り起しをいっそう容易に行うことができる。
【００８８】
さらに、図７の吹き出し図に示すように、ホーク１０で掘り起こした土Ｓの中心近くを通る点線ｌ，ｍの位置に鮫ヒレ４２，４３が作用するので、土Ｓが細かく砕かれるようになり、加えて、土中に残った植物の根なども切り裂かれるようになって、根が張って砕けにくくなった土Ｓであっても細かく砕くことができる。この効果は、最外の爪１１，１４に鮫ヒレを設けると、ホーク１０に掘り起こされた土Ｓの周縁部分の方に鮫ヒレが位置するようになって鮫ヒレが土Ｓにほとんど作用しなくなることを考えるとよくわかる。
【００８９】
さらに、この実施の形態１による手動耕運器１では、次の（ハ）で説明するように、突起３２ＬＴ，３２ＲＴの一方を支点とした梃子によって天地返しを行うので、ホーク１０で土Ｓを掘り起こした状態において、突起３２ＬＴ，３２ＲＴが耕地Ｇとほぼ垂直になっていた方が力を入れやすい。既出の図３（ｄ）で触れた折り曲げ角度αはここに関連しており、このような理由で、土Ｓを掘り起こした図６の状態において、耕地Ｇに対し突起３２ＬＴ，３２ＲＴがほぼ垂直となるように折り曲げ角度αを設定している。
【００９０】
（ハ）天地返し
使用方法の説明に戻る。
次に、土Ｓを掘り起した使用者Ｕは、天地返しするべく、図８のブロック矢印に示すようにハンドル５０の右手を下に押さえると自ずと左手が上がり、右側の突起３０ＲＴを支点とした梃子により土Ｓを右側に天地返しする。突起３２ＲＴを支点とした梃子によって土Ｓを天地返ししているので、従来では全く考慮されていなかった天地返しについても省力化を図ることができ、一連の耕運作業を容易に行うことができる。
【００９１】
また、突起３２ＲＴが耕地Ｇに突き刺さるので、支点の位置がズレたりすることがなくなり、天地返しを安定して行うことができる。
【００９２】
さらに、天地返しの際に、図９に示すように、土Ｓを掘り起こした状態（図９左）からホーク１０をいったん左にやや傾けて突起３２ＲＴだけを浮かせ（図９中）、続けて突起３２ＲＴを支点とした梃子により天地返しを行うと（図９右）、勢いをつけて天地返しを行うことができ、耕運作業をさらに容易に行える。
【００９３】
さらに、天地返しの際に、鮫ヒレ４２，４３は土Ｓに対して引っ掛かり機構として作用しており、土Ｓの上下を反転させることにも役立っている。
【００９４】
さらに、鮫ヒレ４２，４３をズラして設けてあるので、鮫ヒレ４２，４３の間に土Ｓが挟まったり、粘土状の土が詰まってしまうようなことがなくなり、耕運作業の効率が劣化するのを未然に防ぐことができる。
【００９５】
ここで、天地返しに最適なペダル３０の大きさについて考える。
天地返しによって土Ｓの上下をしっかりと反転させるには、図９右に図示した傾き角度βがおよそ４５〜５０度になるまでホーク１０を傾ける必要がある。
【００９６】
つまり、図１０（ａ）に示すように、ネジ棒３３，３４のうちの下側のネジ棒３４の長手方向の中心を頂点Ａとし、支持部１０Ｓのホーク幅ｄを底辺ＢＣとする２等辺３角形ＡＢＣにおいて、頂点Ａから底辺ＢＣまでの高さｈが小さいと、天地返しの際に、傾き角度βがおよそ４５〜５０度になる前に支持部１０Ｓの右端１０ＳＴが耕地Ｇにぶつかってしまい、土Ｓの上下を反転させることができない。
【００９７】
逆に、図１０（ｃ）に示すように、２等辺３角形ＡＢＣの高さｈが大きいと、天地返しによって土Ｓの上下を反転させることは十二分に可能であるが、高さｈを大きくした分だけ材料費も嵩み、余分な労力も必要になる。
【００９８】
そこで、図１０（ｂ）に示すように、この実施の形態１による手動耕運器１では、支持部１０Ｓの各両端Ｂ，Ｃから頂点Ａまでの長さＡＢ，ＡＣが、それぞれ支持部１０Ｓのホーク幅ｄとほぼ同じ長さとなるようにペダル３０の高さｈを設計している。ちょうどこのとき、３角形ＡＢＣは３つの内角それぞれの大きさが全て６０度の正３角形となるので、ホーク１０の傾き角度βを４５〜５０度としても支持部１０Ｓの右端１０ＳＴが耕地Ｇにぶつかるようなことはなく、天地返しを確実に行えるようになり、耕運作業の効果を向上させることができる。なお、硬い耕地Ｇでは考慮する必要はあまりないが、柔らかい耕地Ｇでは、支点となる突起３２ＬＴ，３２ＲＴが土中に沈むため、この分の余裕を持たせてペダル３０の設計を行っている。
【００９９】
なお、以上の天地返しに最適なペダル３０の大きさに関する考察は、ホーク１０の爪の本数が３本でも５本でも何本でも、また、ホーク１０の爪１１〜１４を支持する幅が変わっても、４本の場合と同様である。
【０１００】
（ニ）次の耕運へ
使用方法の説明に戻る。
以上のようにして天地返しが済むと、使用者Ｕはホーク１０の先端を耕地Ｇより持ち上げることなく引きずりながら後方へ１，２歩下がり、（イ）から（ハ）までの一連の耕運作業を新たに行う。使用者Ｕは後進しながら耕運するので、耕運したばかりの耕地Ｇを足で踏み固めてしまうようなことがなく、加えて、未耕運の耕地Ｇ上なのでホーク１０を引きずっても特に問題なく、その分だけ省力化される。
【０１０１】
＜従来との比較＞
特許文献２では、Ｕ型ペダルを設けているので、踏み込むのには楽である。ただし掘り起こすことは非常に楽であろうが、掘り起こした土の天地返しについては開示していない。そして、鮫ヒレ４２，４３のような切断手段４０は、いずれにも開示していない。
【０１０２】
畑においては通常、耕す前に石灰・堆肥・元肥などを撒いておき、これを耕す。耕運作業においては、根の張るものは例え支点・力点のある耕運器であっても、これだけでは大きな土の塊のままで土を細かく砕けない。したがって鮫の鰭に似た形状のものがあることによって、土が切り裂かれて細かく砕け天地返しできるので、石灰・堆肥・元肥などを良く混ぜることができる。
【０１０３】
土が大きな塊のままでは、石灰・堆肥・元肥などが混ざりにくい。このことは、作物にとっては根の張りが悪くなり、また水も表面を流れるだけで土中に入りにくい。したがって作物にとって天地返しは重要なことである。
【０１０４】
また、非特許文献１は、この発明と同じもののように見える。ペダルによって土にフォークを突き刺すところまでは同じで、Ｔ字状のハンドルを手前に押さえると土が掘り起される点も同じである。しかし掘り起こした土を天地返しすることは難しい。何故かというと、図１０で説明したような天地返しに必要なペダルの大きさに関する考察がなされていないためである。
【０１０５】
さらに、天地返しに必要なＴ字状のハンドルに対して支点となるものも開示されていない。耕地Ｇに食い込み支点となる突起３２ＬＴ，３２ＲＴのようなものがないと、梃子が移動してしまって天地返しが充分にできない。
【０１０６】
さらに、ハンドルを押さえることも梃子のため重要なものであるが、ハンドルが回転する方が手にとっては負担が少なく、マメなどが出来にくい。
【０１０７】
本願出願人が開発した手動耕運器１は、腰を曲げることなく足によってペダル３０を踏み込みハンドル５０を手前に抑えると梃子になると同時に、ペダル３０の高さｈ（図１０（ｂ））を利用し、耕地Ｇより掘った土を十分に持ち上げ右側に天地返しするため、ペダル３０より突き出た突起３２ＬＴ，３２ＲＴを支点としてハンドル５０を下に抑え、その力で掘った土を天地返しすることができる。また天地返しすることにより掘り起こした土の下側が上に出るようになる。
【０１０８】
どうしてこの発明の手動耕運器１が良いのか。
従来、畑を耕すには鍬（くわ）・スコップ・フォーク・耕運機などがある。
【０１０９】
（１）鍬。耕運作業は前進であり、鍬を振り上げ振り下ろし、それを手前に引いて天地返しをするのだが、掘った土の下側を上に持ち上げるには、手前に引いて振ることが必要である。これは非常に労力を要し、腰に負担がかかる。耕運作業中にしばしば休憩する姿を見るところである。また、前進しながら耕運するので、せっかく耕運した箇所を踏みながら進むことになってしまうという欠点がある。さらに、重労働であるため、女性、老人には不向きである。
【０１１０】
（２）スコップ。耕運作業は後進である。土中に刃先を差し込み押さえて土を持ち上げることは容易であるが、持ち上げた土は大きな固まりである。ましてやこれを天地返しするとなると、腕の力によってスコップの刃を地面より持ち上げて投げることが必要になり、非常に大きな労力を要し重労働である。
【０１１１】
（３）フォーク。上記の（２）とほぼ同じである。土は砕けやすいが天地返しにおいては（２）と同様である。
【０１１２】
（４）耕運機。近年ではだいぶ手軽なものも随分と普及してきているが、持ち運び及び回転などの理由で小面積の耕地には適していない。例えば周囲を作物に囲まれた耕地を耕すには、他の作物を傷めないように耕運機を持ち上げてその耕地まで持っていかなければならない。また例えば、耕運機は小回りも利かない。さらに、エンジンがかかりにくいことがしばしばある。特に家庭菜園においては期間を空けて使用するので、エンジンの不調がよく起きる。
【０１１３】
（５）犂（すき、プラウ）。耕運作業は前進である。現在ではほとんど使用されていない。従来では非常に優れた天地返しが可能なものであるが、小面積の耕地には適していない。
【０１１４】
上記の（１）から（５）までを考えると、本願出願人が開発した手動耕運器１は、（１）から（５）までの問題を手軽に解決することができる。
【０１１５】
＜変形例その他＞
図１〜１０の説明では、図１１に示すように、爪１３の鮫ヒレ４３が先に、爪１２の鮫ヒレ４２が後から土中にそれぞれ突き刺さるように配置していたが、これは天地返しを右側に行う使用者Ｕのための右利き用の配置であって、この発明はこれに限定されるものではない。
【０１１６】
図１２は４本爪のホーク１０に鮫ヒレを２個設ける場合の配置パターンを示す斜視図である。
左側に天地返しする左利きの使用者Ｕに対しては、図１２（ａ）の右利き用の配置とは逆に配置し、図１２（ｂ）に示すように、爪１３の鮫ヒレ４３が先に、爪１２の鮫ヒレ４２が後から土中にそれぞれ突き刺さるように配置する。このようにすることで、土Ｓを左側に天地返しをする際に鮫ヒレ４２，４３が土Ｓに対して引っ掛かり機構として作用するようになり、図１２（ａ）の場合と同様の効果が得られる。
【０１１７】
同様に、４本爪のホーク１０に鮫ヒレを１個設ける場合を図１３に示す。図１３（ａ）は右利き用、図１３（ｂ）は左利き用である。鮫ヒレ２個の場合と比べて土が砕けにくくはなるが、鮫ヒレ１個でもこの発明は実施可能である。
【０１１８】
以上のように、ホーク１０の爪の本数は４本に限定されるものではなく、鮫ヒレの個数も２個に限定されるものではない。ホーク１０の爪の本数は３本以上あれば実施可能であり、また、鮫ヒレの個数は１個以上あれば良い。さらに、１本の爪に複数の鮫ヒレを設けるようにしても良い。
【０１１９】
また、手動耕運器１は耕運が目的であって収穫には適していないため、次のようにしても良い。すなわち、柄２０に対し耕運用のホーク１０を着脱自在に構成しておくとともに、このホーク１０とは別に、柄２０に対し着脱自在に構成した収穫用のホークを別に用意しておき、状況に応じて２つのホークのうちの一方を柄２０に装着して使い分けるようにする。同様の考えで、爪１２，１３に対し鮫ヒレ４２，４３を着脱自在に構成しても良いし、一体成形しても良い。
【０１２０】
すなわち、ホーク１０は鉄を鍛錬して製造するため、その鍛錬中に爪１２，１３に対し鮫ヒレ４２，４３を形成することも可能である。一方、完成品のホーク１０に対しては、爪１２，１３に鮫ヒレ４２，４３を溶接などにより固着しても良いし、ネジなどで爪１２，１３を挟み固着することも可能である。さらに、鮫ヒレ４２，４３にネジを設け、爪１２，１３に穴を開けて固着することもできる。爪の上部近傍に固着した鮫ヒレ４３と、下部近傍に固着した鮫ヒレ４３とがあり、これらによって天地返しが容易にできる。
【０１２１】
さらに、ペダルとしては、ホーク１０のホーク幅ｄの両端Ｂ，Ｃとネジ棒３４の長手方向の長さ（踏み幅）の中心Ａとを結んでできる三角形ＡＢＣがほぼ正３角形となるように、ホーク幅ｄに対してペダル３０の高さｈを設定したものであれば良く、主軸３１，分岐軸３２Ｌ，３２Ｒ及びネジ棒３３，３４からなるペダル３０に限定されるものではない。また、その材質は問わない。
【０１２２】
さらに、上記の踏み幅から突起３２ＬＴ，３２ＲＴが延びていることを条件とする。
【０１２３】
さらに、ペダル３０の足踏み機構をネジ棒１本や板状部材などにより構成してもこの発明は実施可能であるが、足で踏みにくくなったり靴底の土が落としにくくなるため、２本のネジ棒３３，３４で構成することが最良の形態である。
【０１２４】
さらに、カッター４０の鮫ヒレ４２，４３は、必ずしもペダル３０やハンドル５０と組み合わせて実施する必要はなく、３本以上の爪を並べて支持するホーク１０に単独で実施しても良く、ホーク１０の爪１１〜１４とともに鮫ヒレ４２，４３が耕地Ｇに突き刺さって掘り起こした土Ｓを細かく砕くようになり、加えて、土中に残った植物の根なども切り裂かれるようになって、根が張って砕けにくくなった土であっても細かく砕くことができる。
【０１２５】
さらに、カッター４０として、鮫の鰭に似せた形状の鮫ヒレ４２，４３を用いることにより、土Ｓが砕きやすくなるとともに、土中に残った植物の根などを容易に切り裂けるようになる。加えて、この発明は鮫ヒレ４２，４３に限定されるものではなく、例えば３角形、４角形、５角形、……などの多角形状のものや半円状、鋸歯状などの刃でもカッター４０として実施可能であり、先に土中に入る刃の部分をギザギザに形成した鋸鎌（のこがま）状の鮫ヒレでも良い。
【０１２６】
さらに、ハンドル５０については、軽量化・量産化を考えた場合、（多角柱状であろうと円柱状であろうと）木製又は樹脂製が考えられるが、木製・樹脂製のいずれもホーク１０や柄２０などの金属部分とは製造方法が異なり塗装方法も全く違ってくるので、金属部分とは別に加工した後に組み立てる方が望ましい。
【０１２７】
柄２０とハンドル５０の取付け方法は、ハンドル５０を挿入できるパイプ２０Ｐが柄２０上部の他端にあれば良く、パイプ２０Ｐの中心部分近傍にはブラインドリベット２０Ｂ，２０Ｂ挿入用の穴２０Ｌ，２０Ｒを予め開けてある。ハンドル５０には、その長手方向の中心部分近傍に２本の溝５０Ｌ，５０Ｒが全周にわたって形成してある。パイプ２０Ｐにハンドル５０を挿入した後、溝５０Ｌ，５０Ｒと穴２０Ｌ，２０Ｒが合った時点で溝５０Ｌ，５０Ｒに合ったブラインドリベット２０Ｂ，２０Ｂを穴２０Ｌ，２０Ｒを通し溝５０Ｌ，５０Ｒ内でリベッターにて膨らませる。
【０１２８】
これにより、ハンドル５０は全周回してもパイプ２０Ｐより外れることがなくなる。もちろん溝５０Ｌ，５０Ｒに合ったブラインドリベット２０Ｂ，２０Ｂを使用することが必要である。このことによりパイプ２０Ｐとハンドル５０との取付けが容易になる。
【０１２９】
柄２０とハンドル５０の取付け方法は、上記の説明ではブラインドリベット２０Ｂ，２０Ｂを用いた形で開示しているが、要はパイプ２０Ｐにハンドル５０を挿入した後、パイプ２０Ｐの穴を通して溝５０Ｌ，５０Ｒ内へ突起状のものが出るものであれば何でも良く、ブラインドリベット２０Ｂ，２０Ｂの他にも例えば角ナットを最初から付けておいてネジ（突起部材）により取付ける方法なども考えられる。
【０１３０】
さらに、中心軸Ｘ周りに回転するハンドル５０は、必ずしもカッター４０と組み合わせて実施する必要はなく、３本以上の爪を並べて支持し、梃子の支点となる機構を裏面側に突設した従来のホークに用いるようにしても良い。このようにすることで、使用者はハンドル５０に対する握力を変えることなく掘り起しできるようになり、手に対する負担が軽減され、マメができたり皮が剥けたりしにくくなる。
【０１３１】
さらに、ハンドル５０は、手で握った箇所が中心軸Ｘ周りに回転するのであれば図４以外の取付け方法であっても良く、この発明はこれに限定されるものではない。
【０１３２】
さらに、ハンドル５０の中心軸Ｘ方向の長さは、梃子の原理から考えて長い方が天地返しが容易になるが、使用者Ｕの肩幅ぐらいが適当である。このようにすることで、材料費が嵩むことなく、使用者Ｕが手動耕運器１を楽に操作できるようになる。
【０１３３】
さらに、ハンドル５０は、木製や樹脂製に限らず、例えば金属製のものを用いてもこの発明は実施可能である。しかしながら、ハンドル５０として木製や樹脂製のものを用いることにより、手動耕運器１の使用者Ｕの手になじみやすくなり、加えて、手動耕運器１の軽量化を図ることができる。
【０１３４】
以上見てきたように、この発明に係る手動耕運器は、後進しながら行うため耕運した箇所を踏み固めるようなこともなく、また、持ち運び容易で、小面積の耕地や、周囲を作物などに囲まれた耕地において特に威力を発揮し、大きな労力を必要としないため、重労働には不向きな女性や老人でも天地返しまでの一連の耕運作業を容易に行うことが可能である。
【符号の説明】
【０１３５】
１  手動耕運器
１０  ホーク（ホーク手段）
１０Ｓ  支持部
１０ＳＴ  右端
１１〜１５  爪
１６  連結部
２０  柄（柄手段）
２０Ｂ  ブラインドリベット（突起部材）
２０Ｐ  パイプ（筒状部）
２０Ｌ，２０Ｒ  穴
３０  ペダル（ペダル手段）
３０Ｍ  金属棒
３１  主軸
３１Ｔ  固着部
３２Ｌ，３２Ｒ  分岐軸
３２ＬＴ，３２ＲＴ  突起
３３，３４  ネジ棒（連結部材）
４０  カッター（切断手段）
４２〜４４  鮫ヒレ
５０  ハンドル（取っ手手段）
５０Ｌ，５０Ｒ  溝
α  折り曲げ角度
β  傾き角度
Ｇ  耕地
Ｓ  土
Ｕ  使用者
Ｘ  中心軸
【図１】
2015171349.tif 000003
【図２】
2015171349.tif 000004
【図３】
2015171349.tif 000005
【図４】
2015171349.tif 000006
【図５】
2015171349.tif 000007
【図６】
2015171349.tif 000008
【図７】
2015171349.tif 000009
【図８】
2015171349.tif 000010
【図９】
2015171349.tif 000011
【図１０】
2015171349.tif 000012
【図１１】
2015171349.tif 000013
【図１２】
2015171349.tif 000014
【図１３】
2015171349.tif 000015
【手続補正書】
【提出日】平成26年4月2日(2014.4.2)
【手続補正１】
【補正対象書類名】特許請求の範囲
【補正対象項目名】全文
【補正方法】変更
【補正の内容】
【特許請求の範囲】
【請求項１】
３本以上の爪を並べて支持するホーク手段と、このホーク手段を一端に備えた柄手段とを有する手動耕運器において、
左右の方向に中心軸を有し、上記柄手段の他端に対してＴ字状に取付けられた柱状部材の取っ手手段と、
上記ホーク手段の裏面側に突設されるとともに、この裏面側へ突き出た突起を少なくとも１個有するペダル手段とを備え、
上記ホーク手段は、上記爪の表面側に切断手段を少なくとも１個備えることを特徴とする手動耕運器。
【請求項２】
上記ペダル手段は、２個の上記突起を左右に並べて備えることを特徴とする請求項１記載の手動耕運器。
【請求項３】
上記取っ手手段は、上記中心軸周りに回転するように、上記柄手段の他端に取付けられることを特徴とする請求項１記載の手動耕運器。
【請求項４】
上記柄手段は、上記ペダル手段が設けられた位置の上部近傍から、上記ホーク手段が時計盤の６時３０分から７時３０分までの間にあるように湾曲していることを特徴とする請求項３記載の手動耕運器。
【請求項５】
上記ホーク手段の幅の両端と、上記ペダル手段の踏み幅の中心とを結んでできる３角形がほぼ正３角形であることを特徴とする請求項１記載の手動耕運器。
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
３本以上の爪を並べて支持するホーク手段と、このホーク手段を一端に備えた柄手段とを有する手動耕運器において、
左右の方向に中心軸を有し、上記柄手段の他端に対してＴ字状に取付けられた柱状部材の取っ手手段と、
上記ホーク手段の裏面側に突設されるとともに、この裏面側へ突き出た突起を少なくとも１個有するペダル手段とを備えることを特徴とする手動耕運器。
【請求項２】
上記ペダル手段は、２個の上記突起を左右に並べて備えることを特徴とする請求項１記載の手動耕運器。
【請求項３】
上記取っ手手段は、上記中心軸周りに回転するように、上記柄手段の他端に取付けられることを特徴とする請求項１記載の手動耕運器。
【請求項４】
上記柄手段は、上記ペダル手段が設けられた位置の上部近傍から、上記ホーク手段が時計盤の６時３０分から７時３０分までの間にあるように湾曲していることを特徴とする請求項３記載の手動耕運器。
【請求項５】
上記ホーク手段の幅の両端と、上記ペダル手段の踏み幅の中心とを結んでできる３角形がほぼ正３角形であることを特徴とする請求項１記載の手動耕運器。
【請求項６】
上記ホーク手段は、上記爪の表面側に切断手段を少なくとも１個備えることを特徴とする請求項１記載の手動耕運器。